(57)【要約】【課題】門扉の表側および裏側の何れの側からも施錠解錠することができる門扉用施錠装置を提供する。【解決手段】端部に錠が通される開口３ａが形成された閂３と、一方の門扉１に取り付けられた閂ガイド９と、他方の門扉２に取り付けられた閂受け１０と、閂３に取り付けられたレバー４とを備え、レバー４は、閂３の前方側に突出する前方側端部５と、閂３の後方側に突出する後方側端部６とからなり、後方側端部６は、一方の門扉１に形成された横長孔１ａを貫通して一方の門扉１から突出し、後方側端部６は、一方の門扉１に取り付けられた錠取付け部材７に施錠可能である。【選択図】図１
2017150149.tif 000002
【特許請求の範囲】
【請求項１】
端部に錠が通される開口が形成された閂と、前記閂を支持する閂ガイドと、前記閂が挿入される閂受けと、前記閂に取り付けられたレバーとを備え、前記レバーは、前記閂の前方側に突出する前方側端部と、前記閂の後方側に突出する後方側端部とからなり、前記後方側端部は、門扉に形成された横長孔を貫通して前記門扉から突出し、前記後方側端部は、前記門扉に取り付けられた錠取付け部材に施錠可能であることを特徴とする門扉用施錠装置。
【請求項２】
前記門扉は、一方の門扉および他方の門扉からなる両開き門扉からなり、前記閂ガイドは、前記一方の門扉に取り付けられ、前記閂受けは、前記他方の門扉に取り付けられ、前記横長孔は、前記一方の門扉に形成されていることを特徴とする、請求項１に記載の門扉用施錠装置。
【請求項３】
前記門扉は、片開き門扉からなり、前記閂受けは、門柱に取り付けられ、前記閂ガイドは、前記片開き門扉に取り付けられ、前記横長孔は、前記片開き門扉に形成されていることを特徴とする、請求項１に記載の門扉用施錠装置。
【請求項４】
前記レバーは、前記閂の中央部に取り付けられていることを特徴とする、請求項１から３の何れか１つに記載の門扉用施錠装置。
【発明の詳細な説明】
【技術分野】
【０００１】
この発明は、門扉用施錠装置、特に、門扉を閂側および閂と反対側の何れの側からも施錠および解錠することができる門扉用施錠装置に関するものである。
【背景技術】
【０００２】
門扉用施錠装置の一例を、図面を参照しながら説明する。以下、この施錠装置を従来施錠装置という。
【０００３】
図９は、従来施錠装置により施錠された片開き門扉を閂側から見た部分斜視図である。
【０００４】
図９に示すように、従来施錠装置は、一端がＬ字に折れ曲がった閂３１と、閂３１に取り付けられたレバー３２と、一方の門扉３３に取り付けられた閂ガイド３４と、他方の門扉３５に取り付けられた閂受け３６とから構成されている。
【０００５】
レバー３２には、長孔３２ａが形成され、長孔３２ａ内に、一方の門扉３３に垂直に固定された挿入部材３７が挿入される。挿入部材３７には、南京錠等の錠（図示せず）が通される開口３７ａが形成されている。
【０００６】
このように構成されている、従来施錠装置によれば、以下のようにして、両開き門扉が施錠および解錠される。
【０００７】
閂３１を一方の門扉３３側から他方の門扉３５の閂受け３６に差し込み、レバー３２を下方に回して、挿入部材３７をレバー３２の長孔３２ａに挿入する。そして、挿入部材３７の開口３７ａに、南京錠等の錠を通して、施錠すれば、閂３１は、閂受け３６から抜け出ないので、両開き門扉は、閂３１側からが施錠される。錠を外せば、閂３１側から解錠することができる。
【０００８】
特許文献１には、従来施錠装置におけると同様な、閂を使用した施錠装置が開示されている。
【先行技術文献】
【特許文献】
【０００９】
【特許文献１】特開２００７−１１３３４１号公報
【発明の概要】
【発明が解決しようとする課題】
【００１０】
上記従来施錠装置によれば、両開き門扉を確実に施錠および解錠することはできるが、門扉を閂側および閂と反対側の何れか一方の側からしか施錠および解錠することができないと問題があった。
【００１１】
特許文献１に開示された施錠装置においても、従来施錠装置におけると同様に、門扉の表側および裏側の何れか一方の側からしか施錠および解錠することができない。
【００１２】
従って、この発明の目的は、門扉を閂側および閂と反対側の何れの側からも施錠および解錠することができる門扉用施錠装置を提供することにある。
【課題を解決するための手段】
【００１３】
この発明は、上記目的を達成するためになされたものであり、下記を特徴とするものである。
【００１４】
請求項１に記載の発明は、端部に錠が通される開口が形成された閂と、前記閂を支持する閂ガイドと、前記閂が挿入される閂受けと、前記閂に取り付けられたレバーとを備え、前記レバーは、前記閂の前方側に突出する前方側端部と、前記閂の後方側に突出する後方側端部とからなり、前記後方側端部は、門扉に形成された横長孔を貫通して前記門扉から突出し、前記後方側端部は、前記門扉に取り付けられた錠取付け部材に施錠可能であることに特徴を有するものである。
【００１５】
請求項２に記載の発明は、請求項１に記載の発明において、前記門扉は、一方の門扉および他方の門扉からなる両開き門扉からなり、前記閂ガイドは、前記一方の門扉に取り付けられ、前記閂受けは、前記他方の門扉に取り付けられ、前記横長孔は、前記一方の門扉に形成されていることに特徴を有するものである。
【００１６】
請求項３に記載の発明は、請求項１に記載の発明において、前記門扉は、片開き門扉からなり、前記閂受けは、門柱に取り付けられ、前記閂ガイドは、前記片開き門扉に取り付けられ、前記横長孔は、前記片開き門扉に形成されていることに特徴を有するものである。
【００１７】
請求項４に記載の発明は、請求項１から３の何れか１つに記載の発明において、前記レバーは、前記閂の中央部に取り付けられていることに特徴を有するものである。
【発明の効果】
【００１８】
この発明によれば、門扉を閂側および閂と反対側の何れの側からも施錠および解錠することができる。
【図面の簡単な説明】
【００１９】
【図１】この発明の門扉用施錠装置により施錠された両開き門扉を閂側から見た部分斜視図である。
【図２】この発明の門扉用施錠装置により施錠された両開き門扉を閂と反対側から見た部分斜視図である。
【図３】この発明の門扉用施錠装置における、レバーが取り付けられた両開き門扉用閂を示す斜視図である。
【図４】この発明の門扉用施錠装置により施錠された両開き門扉を閂側から見た正面図である。
【図５】この発明の門扉用施錠装置により施錠された片開き門扉を閂側から見た部分斜視図である。
【図６】この発明の門扉用施錠装置により施錠された片開き門扉を閂と反対側から見た部分斜視図である。
【図７】この発明の門扉用施錠装置における、レバーが取り付けられた片開き門扉用閂を示す斜視図である。
【図８】この発明の門扉用施錠装置により施錠された片開き門扉を閂側から見た正面図である。
【図９】従来施錠装置により施錠された片開き門扉を閂側から見た部分斜視図である。
【発明を実施するための形態】
【００２０】
この発明の門扉用施錠装置の一実施態様を、図面を参照しながら説明する。
【００２１】
図１は、この発明の門扉用施錠装置により施錠された両開き門扉を閂側から見た部分斜視図、図２は、この発明の門扉用施錠装置により施錠された両開き門扉を閂と反対側から見た部分斜視図、図３は、この発明の門扉用施錠装置における、レバーが取り付けられた両開き門扉用閂を示す斜視図、図４は、この発明の門扉用施錠装置により施錠された両開き門扉を閂側から見た正面図である。
【００２２】
図１から図４において、１は、両開き門扉の一方の門扉、２は、両開き門扉の他方の門扉、３は、閂である。閂３の他方の門扉２側の端部には、錠（図示せず）が通される開口３ａが形成されている。開口３ａに錠を通し、施錠することによって、両開き門扉を閂側から施錠することができる。
【００２３】
なお、図１に示すように、一方の門扉１側の端部にも開口３ｂを形成してもよい。この場合、開口３ｂは、錠８の仮置き用として使用する。
【００２４】
４は、閂３の中央部に取り付けられたレバーである。レバー４は、閂３の前方側に突出する前方側端部５と、閂３の後方側に突出する後方側端部６とからなっている。後方側端部６は、一方の門扉１に形成された横長孔１ａを貫通して一方の門扉１の閂３と反対側に突出している。後方側端部６には、開口６ａが形成され、開口６ａと一方の門扉１の閂３と反対側に取り付けられた錠取付け部材７とに南京錠等の錠８を通し、施錠することによって、両開き門扉を閂３と反対側から施錠することができる。
【００２５】
一方の門扉１の閂３側の横長孔１ａの両側には、閂ガイド９が取り付けられ、他方の門扉２の閂３側には、閂受け１０が取り付けられている。
【００２６】
このように構成されている、この発明の門扉用施錠装置によれば、以下のようにして両開き門扉を施錠および解錠することができる。
【００２７】
閂３を一方の門扉１側から他方の門扉２の閂受け１０に差し込み、閂３の開口３ａに錠（図示せず）を通し、施錠する。これによって、閂３は、閂受け１０から抜け出ないので、両開き門扉は、閂３側から施錠される。錠を外せば、閂３側から解錠することができる。
【００２８】
一方、閂３と反対側から両開き門扉を施錠するには、図２に示すように、レバー４の後方側端部６の開口６ａと一方の門扉１の錠取付け部材７とに南京錠等の錠８を通し、施錠する。これによって、両開き門扉を閂３と反対側から施錠することができる。錠８を外せば、閂３と反対側から解錠することができる。
【００２９】
次に、この発明の門扉用施錠装置を片開き門扉に適用した場合について、図面を参照しながら説明する。
【００３０】
図５は、この発明の門扉用施錠装置により施錠された片開き門扉を閂側から見た部分斜視図、図６は、この発明の門扉用施錠装置により施錠された片開き門扉を閂と反対側から見た部分斜視図、図７は、この発明の門扉用施錠装置における、レバーが取り付けられた片開き門扉用閂を示す斜視図、図８は、この発明の門扉用施錠装置により施錠された片開き門扉を閂側から見た正面図である。
【００３１】
図５から図８において、１１は、片開き門扉、１２は、門柱、１３は、閂である。閂１３の門柱１２側の端部には、後述する錠１８が通される開口１３ａが形成されている。なお、門扉１１側の端部に開口１３ｂを形成してもよい。この場合、開口１３ｂは、錠１８の仮置き用として使用する。
【００３２】
１４は、閂１３の中央部に取り付けられたレバーである。レバー１４は、閂１３の前方側に突出する前方側端部１５と、閂１３の後方側に突出する後方側端部１６とからなっている。後方側端部１６は、門扉１１に形成された横長孔１１ａを貫通して門扉１１の閂１３と反対側に突出している。後方側端部１６には、開口１６ａが形成され、開口１６ａと門扉１１の閂１３と反対側に取り付けられた錠取付け部材１７とに南京錠等の錠１８を通し、施錠することによって、片開き門扉を閂１３と反対側から施錠することができる。
【００３３】
門扉１１の閂１３側の横長孔１１ａの両側には、閂ガイド１９が取り付けられ、門柱１２の閂１３側には、閂受け２０が取り付けられている。
【００３４】
このように構成されている、この発明の門扉用施錠装置によれば、以下のようにして片開き門扉を施錠および解錠することができる。
【００３５】
閂１３を門扉１１側から門柱１２の閂受け２０に差し込み、閂１３の開口１３ａに南京錠等の錠（図示せず）を通し、施錠する。これによって、閂１３は、閂受け２０から抜け出ないので、片開き門扉は、閂１３側から施錠される。錠を外せば、閂１３側から解錠することができる。
【００３６】
一方、閂１３と反対側から片開き門扉を施錠するには、図６に示すように、レバー１４の後方側端部１６の開口１６ａと門扉１１の錠取付け部材１７とに南京錠等の錠１８を通し、施錠する。これによって、片開き門扉を閂１３と反対側から施錠することができる。錠１８を外せば、閂１３と反対側から解錠することができる。
【００３７】
以上のように、この発明によれば、閂３、１３に、閂３、１３の前方側に突出する前方側端部５、１５と、閂３、１３の後方側に突出する後方側端部６、１６を有するレバー４、１４を取り付け、後方側端部６、１６を門扉１、１１に形成した横長孔１ａ、１１ａに貫通させ、レバー４、１４の端部の開口６ａ、１６ａに錠８、１８を通し、施錠することによって、門扉を閂３、１３の反対側から施錠することができ、錠８、１８を外せば解錠することができる。
【００３８】
また、閂３、１３の開口３ａ、１３ａに錠（図示せず）を通し、施錠することによって、門扉を閂３、１３側から施錠することができ、錠を外せば、解錠することができる。
【符号の説明】
【００３９】
１：一方の門扉
１ａ：横長孔
２：他方の門扉
３：閂
３ａ：開口
３ｂ：開口
４：レバー
５：前方側端部
６：後方側端部
６ａ：開口
７：錠取付け部材
８：錠
９：閂ガイド
１０：閂受け
１１：片開き門扉
１１ａ：横長孔
１２：門柱
１３：閂
１３ａ：開口
１３ｂ：開口
１４：レバー
１５：前方側端部
１６：後方側端部
１６ａ：開口
１７：錠取付け部材
１８：錠
１９：閂ガイド
２０：閂受け
３１：閂
３２：レバー
３２ａ：長孔
３３：一方の門扉
３４：閂ガイド
３５：他方の門扉
３６：閂受け
３７：挿入部材
３７ａ：開口
【図１】
2017150149.tif 000003
【図２】
2017150149.tif 000004
【図３】
2017150149.tif 000005
【図４】
2017150149.tif 000006
【図５】
2017150149.tif 000007
【図６】
2017150149.tif 000008
【図７】
2017150149.tif 000009
【図８】
2017150149.tif 000010
【図９】
2017150149.tif 000011